Podtech/llm-jp-corpus-v4-ja_patent huggingface dataset:
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
クライアントデバイスにおいて実行可能である方法であって、
前記クライアントデバイスにおいて、クエリをネットワークアクセスノードに送信することを決定するステップであって、前記ネットワークアクセスノードが複数のサービングネットワークと関連付けられ、各サービングネットワークが少なくとも1つの接続アクセスネットワークを含み、各サービングネットワークがサービングネットワーク識別子によって識別される、ステップと、
前記クエリと関連付けるべき第1のサービングネットワーク識別子を選択するステップであって、前記第1のサービングネットワーク識別子が、前記クエリの転送先とすべき第1のサーバの識別情報を提供する、ステップと、
前記クエリを前記ネットワークアクセスノードに送信するステップであって、前記クエリが前記第1のサービングネットワーク識別子を含む、ステップとを備える、方法。
【請求項２】
前記クエリがさらに、第1のサービングネットワーク識別子と関連付けられるネットワークによってサポートされる1つまたは複数のネットワーク能力を記述する情報の要素を含む、請求項1に記載の方法。
【請求項３】
前記クライアントデバイスにおいて、前記第1のサービングネットワーク識別子を決定する前に、前記ネットワークアクセスノードと関連付けられる前記複数のサービングネットワークの各々のサービングネットワーク識別子を取得するステップをさらに備える、請求項1に記載の方法。
【請求項４】
前記第1のサービングネットワーク識別子を選択するステップが、前記クライアントデバイスと前記第1のサービングネットワーク識別子によって識別されるサービングネットワークとの間にすでに存在する関係が確立されているかどうかに基づく、請求項1に記載の方法。
【請求項５】
前記クエリを送信する前に、前記クエリと関連付けるべき第2のサービングネットワーク識別子を選択するステップであって、前記第2のサービングネットワーク識別子が前記第1のサービングネットワーク識別子と異なる、ステップと、
前記クエリを前記ネットワークアクセスノードに送信するステップであって、前記クエリが前記第1のサービングネットワーク識別子および前記第2のサービングネットワーク識別子を含む、ステップとをさらに備える、請求項1に記載の方法。
【請求項６】
ネットワークインターフェースと、
前記ネットワークインターフェースに結合された処理回路とを備え、前記処理回路が、
クエリをネットワークアクセスノードに送信することを決定することであって、前記ネットワークアクセスノードが複数のサービングネットワークと関連付けられ、各サービングネットワークが少なくとも1つの接続アクセスネットワークを含み、各サービングネットワークがサービングネットワーク識別子によって識別される、ことと、
前記クエリと関連付けるべき第1のサービングネットワーク識別子を選択することと、
前記クエリを前記ネットワークアクセスノードに送信することであって、前記クエリが前記第1のサービングネットワーク識別子を含み、前記第1のサービングネットワーク識別子が、前記クエリの転送先とすべき第1のサーバの識別情報を提供する、ことと
を行うように構成される、クライアントデバイス。
【請求項７】
前記処理回路がさらに、第1のサービングネットワーク識別子と関連付けられるネットワークによってサポートされる1つまたは複数のネットワーク能力を記述する情報の要素を含むように、前記クエリを導出するように構成される、請求項6に記載のクライアントデバイス。
【請求項８】
前記処理回路がさらに、前記クライアントデバイスと前記第1のサービングネットワーク識別子によって識別されるサービングネットワークとの間にすでに存在する関係が確立されているかどうかに基づいて、前記第1のサービングネットワーク識別子を選択するように構成される、請求項6に記載のクライアントデバイス。
【請求項９】
ネットワークノードにおいて実行可能な方法であって、
前記ネットワークノードにおいて、第1のサービングネットワーク識別子を含むクエリを受信するステップであって、前記ネットワークノードが複数のサービングネットワークと関連付けられ、各サービングネットワークが少なくとも1つの接続アクセスネットワークを含み、各サービングネットワークがサービングネットワーク識別子によって識別される、ステップと、
前記クエリの転送先とすべき第1のサーバの識別情報を決定するステップであって、前記第1のサービングネットワーク識別子が前記第1のサーバの前記識別情報を提供する、ステップと、
前記クエリを前記第1のサーバに送信するステップとを備える、方法。
【請求項１０】
前記クエリが、第1のサービングネットワーク識別子と関連付けられるネットワークによってサポートされる1つまたは複数のネットワーク能力を記述する情報の要素を含む、請求項9に記載の方法。
【請求項１１】
前記クエリがさらに、前記第1のサービングネットワーク識別子と異なる第2のサービングネットワーク識別子を含む、請求項9に記載の方法。
【請求項１２】
前記クエリの転送先とすべき第2のサーバを決定するステップであって、前記第2のサービングネットワーク識別子が前記複数のサービングネットワーク中の第2のサービングネットワークの第2のサーバを識別する、ステップと、
前記クエリを前記第2のサーバに送信するステップとをさらに備える、請求項11に記載の方法。
【請求項１３】
ネットワークノードであって、
ネットワークインターフェースと、
前記ネットワークインターフェースに結合された処理回路とを備え、前記処理回路が、
第1のサービングネットワーク識別子を含むクエリを受信することであって、前記ネットワークノードが複数のサービングネットワークと関連付けられ、各サービングネットワークが少なくとも1つの接続アクセスネットワークを含み、各サービングネットワークがサービングネットワーク識別子によって識別される、ことと、
前記クエリの転送先とすべき第1のサーバの識別情報を決定することであって、前記第1のサービングネットワーク識別子が前記第1のサーバの前記識別情報を提供する、ことと、
前記クエリを前記第1のサーバに送信することと
を行うように構成される、ネットワークノード。
【請求項１４】
前記処理回路がさらに、
前記クエリの転送先とすべき第2のサーバを、前記クエリとともに含まれる第2のサービングネットワーク識別子から決定することであって、前記第2のサービングネットワーク識別子が前記第2のサーバを識別する、ことと、
前記クエリを前記第2のサーバに送信することと
を行うように構成される、請求項13に記載のネットワークノード。
【請求項１５】
記録媒体に含まれるコンピュータプログラムであって、請求項1から5および請求項9から12のいずれか一項に記載の方法を実行するための命令を含む、コンピュータプログラム。
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
アクセスポイントから2つ以上のデバイスへの送信のための要求メッセージを生成するステップであって、前記要求メッセージは、前記2つ以上のデバイスが、特定の時間に同時に自動省電力配信フレーム(APSDフレーム)を前記アクセスポイントに送信することを要求する、ステップと、
前記アクセスポイントから、前記2つ以上のデバイスに前記要求メッセージを送信するステップと
を含む方法。
【請求項２】
前記アクセスポイントで、第1の時間期間の間に前記APSDフレームの第1のフレームの少なくとも第1の部分を受信し、第2の時間期間の間に前記APSDフレームの第2のフレームの少なくとも第2の部分を受信するステップをさらに含み、前記第1の時間期間と前記第2の時間期間とが重複する、請求項1に記載の方法。
【請求項３】
前記2つ以上のデバイスの各々が前記APSDフレームを送信するためのスケジュールに従って、前記2つ以上のデバイスから前記APSDフレームを前記アクセスポイントで受信するステップをさらに含み、前記要求メッセージが前記スケジュールを含む、請求項1に記載の方法。
【請求項４】
アクセスカテゴリーをそれぞれ有する前記2つ以上のデバイスからの前記APSDフレームを前記アクセスポイントで受信するステップをさらに含み、前記要求メッセージが、前記2つ以上のデバイスの各々からの前記APSDフレームのうちの少なくとも1つの送信のための前記アクセスカテゴリーを示す、請求項1に記載の方法。
【請求項５】
前記要求メッセージは、ビーコンフレーム、肯定応答フレーム、および送信可フレームのうちの少なくとも1つを含む、請求項1に記載の方法。
【請求項６】
アップリンクマルチユーザMIMO送信およびアップリンクFDMA送信のうちの少なくとも1つを介して、前記2つ以上のデバイスから前記APSDフレームを前記アクセスポイントで受信するステップ
をさらに含む、請求項1に記載の方法。
【請求項７】
前記2つ以上のデバイスから前記APSDフレームを前記アクセスポイントで受信するステップと、
前記APSDフレームを受信したことに応答して、シングルユーザデータまたはマルチユーザデータを含む少なくとも1つのデータメッセージを前記アクセスポイントで生成するステップと、
前記2つ以上のデバイスに前記アクセスポイントから前記少なくとも1つのデータメッセージを送信するステップと
をさらに含む、請求項1に記載の方法。
【請求項８】
前記要求メッセージは、ビーコンフレームを含み、前記方法は、
前記ビーコンフレームを送信した後に送信可フレームを前記アクセスポイントから送信するステップであって、前記ビーコンフレームが、いつ前記送信可フレームが前記2つ以上のデバイスに送信されるかを示す情報要素(IE)を含む、ステップ、又は、
前記ビーコンフレームを送信した後に送信可フレームを前記アクセスポイントから送信するステップであって、前記ビーコンフレームが、前記送信可フレームが前記2つ以上のデバイスに送信されない時間Mを示す、ステップ、又は、
前記ビーコンフレームを送信した後に送信可フレームを前記アクセスポイントから送信するステップであって、前記ビーコンフレームが、前記送信可フレームが前記2つ以上のデバイスに送信されない第1の時間Mおよび前記第1の時間Mの後に前記2つ以上のデバイスが競合を実行し得る第2の時間Cを示す、ステップ
をさらに含む、請求項1に記載の方法。
【請求項９】
ワイヤレス通信のためのアクセスポイントであって、
前記アクセスポイントから2つ以上のデバイスへの送信のための要求メッセージを生成するための手段であって、前記要求メッセージは、前記2つ以上のデバイスが、特定の時間に同時に自動省電力配信フレーム(APSDフレーム)を前記アクセスポイントに送信することを要求する、手段と、
前記アクセスポイントから、前記2つ以上のデバイスに前記要求メッセージを送信するための手段と
を含むアクセスポイント。
【請求項１０】
第1の時間期間の間に前記APSDフレームの第1のフレームの少なくとも第1の部分を受信し、第2の時間期間の間に前記APSDフレームの第2のフレームの少なくとも第2の部分を受信するための手段をさらに含み、前記第1の時間期間と前記第2の時間期間とが重複する、請求項9に記載のアクセスポイント。
【請求項１１】
前記2つ以上のデバイスの各々が前記APSDフレームのうちの少なくとも1つを送信するためのスケジュールに従って、前記2つ以上のデバイスから前記APSDフレームを受信するための手段をさらに含み、前記要求メッセージが前記スケジュールを含む、請求項9に記載のアクセスポイント。
【請求項１２】
アクセスカテゴリーをそれぞれ有する前記2つ以上のデバイスからの前記APSDフレームを受信するための手段をさらに含み、前記要求メッセージが、前記2つ以上のデバイスの各々からの前記APSDフレームの各々の送信のための前記アクセスカテゴリーを示す、請求項9に記載のアクセスポイント。
【請求項１３】
アップリンクマルチユーザMIMO送信またはアップリンクFDMA送信のうちの少なくとも1つを介して、前記2つ以上のデバイスから前記APSDフレームを受信するための手段
をさらに含む、請求項9に記載のアクセスポイント。
【請求項１４】
前記2つ以上のデバイスから前記APSDフレームを受信するための手段と、
前記APSDフレームを受信したことに応答して、シングルユーザデータまたはマルチユーザデータを含む少なくとも1つのデータメッセージを生成するための手段と、
前記2つ以上のデバイスに前記少なくとも1つのデータメッセージを送信するための手段と
をさらに含む、請求項9に記載のアクセスポイント。
【請求項１５】
実行されたとき、コンピュータに請求項1乃至8のいずれか1項に記載の方法を実行させる命令を記憶したコンピュータ可読記録媒体。
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
無線電力を伝送するための装置であって、
テレビジョンシステムと、
前記テレビジョンシステムに結合され、複数の高周波（ＲＦ）送信アンテナを有する送信機と
を備え、
前記送信機のＲＦ送信アンテナのそれぞれは、受信機の場所において、制御された建設的干渉パターンを形成するように集中する複数の無線電力波を送信するように構成され、前記受信機は、前記制御された建設的干渉パターンとインタフェースを取り、前記受信機に結合されたデバイスを充電するように構成されている装置。
【請求項２】
前記送信機は前記テレビジョンシステムに外部で結合される、請求項１に記載の装置。
【請求項３】
前記送信機は前記テレビジョンシステムに内部で結合される、請求項１に記載の装置。
【請求項４】
前記テレビジョンシステムはバックライトおよび偏光層を含み、前記バックライトは前記送信機と前記偏光層との間に配置される、請求項３に記載の装置。
【請求項５】
前記送信機は第１の平面に沿って延在し、前記偏光層は第２の平面に沿って延在し、前記第１の平面と前記第２の平面とは互いに平行である、請求項４に記載の装置。
【請求項６】
前記テレビジョンシステムは、ディスプレイと、前記ディスプレイの周りに延在するベゼルとを含み、前記ベゼルは前記複数のＲＦ送信アンテナのうちの少なくとも１つを含む、請求項１に記載の装置。
【請求項７】
前記テレビジョンシステムが、ディスプレイと、前記ディスプレイの反対側の後部とを含み、前記後部は前記複数のＲＦ送信アンテナのうちの少なくとも１つを含む、請求項１に記載の装置。
【請求項８】
前記送信機はコミュニケータを含み、前記コミュニケータは、前記受信機を位置付けるためのデータを含む通信信号を前記受信機から受信するように構成され、前記制御された建設的干渉パターンの場所が前記通信信号のデータに基づいて決定される、請求項１に記載の装置。
【請求項９】
前記コミュニケータは、Bluetooth（登録商標）、Wi-Fi（登録商標）、ZigBee（登録商標）および周波数変調（ＦＭ）無線を含むグループから選択される通信プロトコルを介して前記受信機から前記通信信号を受信するように構成される、請求項８に記載の装置。
【請求項１０】
前記テレビジョンシステムは前記送信機に給電するように構成される、請求項１に記載の装置。
【請求項１１】
前記送信機は第１の電力源から電力を受信するように構成され、前記テレビジョンシステムは第２の電力源から電力を受信するように構成され、前記第１の電力源は前記第２の電力源から独立している、請求項１０に記載の装置。
【請求項１２】
無線電力を伝送するための方法であって、
テレビジョンシステムに結合された送信機の複数の高周波（ＲＦ）送信アンテナにより、受信機の場所において、制御された建設的干渉パターンを形成するように集中する複数の無線電力波を送信するステップ
を含み、前記受信機は、前記制御された建設的干渉パターンとインタフェースを取って、前記受信機に結合されたデバイスを充電するように構成されている、方法。
【請求項１３】
前記送信機は前記テレビジョンシステムに外部で結合される、請求項１２に記載の方法。
【請求項１４】
前記送信機は前記テレビジョンシステムに内部で結合される、請求項１２に記載の方法。
【請求項１５】
前記テレビジョンシステムはバックライトおよび偏光層を含み、前記バックライトは前記送信機と前記偏光層との間に配置される、請求項１４に記載の方法。
【請求項１６】
前記送信機は第１の平面に沿って延在し、前記偏光層は第２の平面に沿って延在し、前記第１の平面と前記第２の平面とは互いに平行である、請求項１５に記載の方法。
【請求項１７】
前記テレビジョンシステムは、ディスプレイと、前記ディスプレイの周囲に延在するベゼルとを含み、前記ベゼルは前記複数のＲＦ送信アンテナのうちの少なくとも１つを含む、請求項１２に記載の方法。
【請求項１８】
前記テレビジョンシステムは、ディスプレイと、前記ディスプレイの反対側の後部とを含み、前記後部は前記複数のＲＦ送信アンテナのうちの少なくとも１つを含む、請求項１２に記載の方法。
【請求項１９】
前記受信機を位置付けするように構成された前記送信機のコミュニケータによって、受信機の位置を示す通信信号を前記受信機から受信することと、
前記送信機のコミュニケータによって、前記通信信号のデータに基づいて前記受信機の場所を決定し、制御された建設的干渉パターンは、前記受信機の場所において前記送信機の前記ＲＦアンテナによって形成されることと、
をさらに含む、請求項１２に記載の方法。
【請求項２０】
前記テレビジョンシステムは前記送信機に給電するように構成される、請求項１２に記載の方法。
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
通信リンクを介して電力を受け取る受電装置であって、前記受電装置は、
前記受電装置の分類フェーズ中に分類情報を前記通信リンクに提供する分類情報提供ユニットと、
環境状態を検出するためのセンサユニットと、
前記分類情報提供ユニットに、検出される前記環境状態を示すセンサ情報を提供するセンサ情報提供ユニットと
を備え、
前記分類情報提供ユニットは、前記通信リンクを介して前記検出される環境状態を通信するよう前記センサ情報に基づき前記分類情報を提供する、
受電装置。
【請求項２】
前記受電装置は、前記分類フェーズ中に前記受電装置によって引き出される電流を制御する電流制御ユニットをさらに備える、請求項１に記載の受電装置。
【請求項３】
前記分類情報提供ユニットは、さらに、前記受電装置の電力レベルに基づき、前記分類フェーズ中に前記分類情報を提供し、
第１のモードでは、前記分類情報提供ユニットは、前記受電装置の電力レベルに基づき、前記分類フェーズ中に前記分類情報を提供し、
第２のモードでは、前記分類情報提供ユニットは、前記検出される環境状態に基づき、前記分類フェーズ中に前記分類情報を提供する、
請求項１に記載の受電装置。
【請求項４】
前記第１のモードにおいて、前記分類情報提供ユニットは、前記受電装置の所定の電力レベルに基づき前記分類情報を提供する、請求項３に記載の受電装置。
【請求項５】
前記受電装置は、前記受電装置の第１のスタートアップに対応する第１の分類フェーズ中に前記第１のモードで動作する、請求項３に記載の受電装置。
【請求項６】
前記受電装置は、前記第１のスタートアップの後の前記受電装置の第２のスタートアップに対応する第２の分類フェーズ中に前記第２のモードで動作する、請求項５に記載の受電装置。
【請求項７】
前記センサユニットは、存在検出器、周囲光センサ及び／又は温度センサのうちの少なくとも１つである、請求項１に記載の受電装置。
【請求項８】
１つ以上の受電装置に通信リンクを介して電力を供給するための給電装置であって、前記給電装置は、
分類フェーズ中に受電装置から前記通信リンクを介して分類情報を受信する分類情報受信ユニットと、
前記分類情報から前記受電装置のセンサによって検出される環境状態を示すセンサ情報を取り出すセンサ情報取り出しユニットと
を備える、給電装置。
【請求項９】
前記給電装置は、前記センサ情報に基づき、前記通信リンクを介して供給される電力量を調整する、請求項８に記載の給電装置。
【請求項１０】
前記給電装置は、前記給電装置が経時的に変化する分類情報を検出した場合に、前記センサ情報取り出しユニットを選択的にイネーブルする、請求項８に記載の給電装置。
【請求項１１】
請求項１０に記載の給電装置と、
請求項１に記載の受電装置と、
前記給電装置と前記受電装置とを接続する通信リンクと
を備える、ＰｏＥシステム。
【請求項１２】
通信リンクを介して電力を受け取る受電装置であって、センサユニットを有する受電装置の動作方法であって、前記方法は、
受電装置の分類フェーズ中に分類情報を前記通信リンクに提供するステップと、
分類情報提供ユニットにセンサ情報を提供するステップと
を含み、
センサモードでは、前記分類情報は、前記通信リンクを介して前記センサ情報を通信するために用いられる、
方法。
【請求項１３】
１つ以上の受電装置に通信リンクを介して電力を供給するための給電装置の動作方法であって、前記方法は、
分類フェーズ中に受電装置から前記通信リンクを介して分類情報を受信するステップと、
前記分類情報から前記受電装置のセンサによって検出される環境状態を示すセンサ情報を取り出すステップと
を含む、方法。
【請求項１４】
請求項１１に記載のＰｏＥシステムの動作方法であって、前記方法は、
前記受電装置において環境状態を示すセンサ情報を提供するステップと、
前記受電装置の分類フェーズ中に前記通信リンクを介して前記受電装置から前記給電装置に分類情報を送信するステップと
を含み、
センサモードでは、前記分類情報は、前記センサ情報を通信するために用いられ、
前記方法はさらに、前記給電装置において前記分類情報から前記センサ情報を取り出すステップを含む、
方法。
【請求項１５】
通信リンクを介して電力を受け取る受電装置を動作させるためのコンピュータプログラムであって、前記コンピュータプログラムは、前記受電装置を制御するコンピュータ上で前記コンピュータプログラムが実行されたとき、請求項１に記載の受電装置に、請求項１２に記載の受電装置の動作方法の前記ステップを実行させるプログラムコード手段を含む、コンピュータプログラム。
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
ユーザ機器(UE)において、実行されるワイヤレス通信のための方法であって、
マスターシステム情報が要求を介して受信されることを示すダウンリンクチャネルからの情報を復号するステップと、
前記復号された情報に基づいてマスターシステム情報要求を送信するステップと、
前記マスターシステム情報を含むシステム情報の第1のセットを受信するステップであって、前記マスターシステム情報要求に応答して、前記マスターシステム情報が受信され、前記マスターシステム情報が、前記UEがネットワークの初期アクセスを実行することを可能にするシステム情報を含む、ステップと、
システム情報の前記第1のセットに少なくとも一部基づいて、追加のシステム情報が利用可能であると決定するステップと、
前記追加のシステム情報に対する要求を送信するステップと、
前記追加のシステム情報を受信するステップと、
を備える、方法。
【請求項２】
システム情報の前記第1のセットを受信するステップが、
利用可能である追加のシステム情報の1つまたは複数のセットの指示を受信するステップを備える、
請求項1に記載の方法。
【請求項３】
前記要求を送信するステップが、
追加のシステム情報の1つまたは複数のセットを、前記追加のシステム情報に対する前記要求の中で特定するステップを備える、
請求項1に記載の方法。
【請求項４】
前記マスターシステム情報が、前記UEが、前記ネットワークの識別情報、前記ネットワークの中の基地局の識別情報、セル選択構成およびアクセス制約、またはネットワークアクセス構成情報のうちの1つまたは複数を使用して前記ネットワークの前記初期アクセスを実行することを可能にする、システム情報を含む、
請求項1に記載の方法。
【請求項５】
前記追加のシステム情報を受信するステップが、
どの無線アクセス技術(RAT)が領域において利用可能であるかということと、前記UEが、利用可能なRATをどのように選択すべきかということとを示す、システム情報を受信するステップ、
どのサービスが領域において利用可能であるかということと、前記UEが、利用可能なサービスをどのように取得すべきかということとを示す、システム情報を受信するステップ、
マルチメディアブロードキャストマルチキャストサービス(MBMS)もしくは公衆警報システム(PWS)サービスに関するシステム情報を受信するステップ、または、
位置特定、測位、もしくはナビゲーションサービスに関するシステム情報を受信するステップ
のうちの1つをさらに備える、請求項1に記載の方法。
【請求項６】
前記追加のシステム情報に対する前記要求を送信するステップが、
前記UEの1つまたは複数の能力を、前記追加のシステム情報に対する前記要求に含めるステップを備える、
請求項1に記載の方法。
【請求項７】
前記追加のシステム情報を受信するステップが、
前記追加のシステム情報に対する前記要求に含まれる前記UEの前記1つまたは複数の能力に少なくとも一部基づいて、前記追加のシステム情報を受信するステップを備える、
請求項6に記載の方法。
【請求項８】
前記要求を送信するステップが、
前記UEの位置を、前記追加のシステム情報に対する前記要求に含めるステップを備える、
請求項1に記載の方法。
【請求項９】
前記追加のシステム情報を受信するステップが、
前記追加のシステム情報に対する前記要求に含まれる前記UEの前記位置に少なくとも一部基づいて、前記追加のシステム情報を受信するステップ、または、
前記UEの決定された位置に少なくとも一部基づいて、前記追加のシステム情報を受信するステップを備える、
請求項8に記載の方法。
【請求項１０】
前記UEの決定された位置を特定する位置信号を受信するステップと、
前記UEの前記決定された位置に少なくとも一部基づいて、前記追加のシステム情報に対する前記要求を送信するステップと、
をさらに備える、請求項1に記載の方法。
【請求項１１】
追加のシステム情報が利用可能であると決定するステップが、
前記UEの現在の位置と、前記UEがシステム情報の前記第1のセットを取得した位置との間の距離を特定するステップと、
前記特定された距離が所定の閾値を超えると決定するステップと、
を備える、請求項1に記載の方法。
【請求項１２】
前記追加のシステム情報に対する前記要求を送信するステップが、
前記UEの識別情報を、前記追加のシステム情報に対する前記要求に含めるステップと、
前記追加のシステム情報に対する前記要求に含まれる前記UEの前記識別情報に少なくとも一部基づいて、前記追加のシステム情報を受信するステップと、
を備える、請求項1に記載の方法。
【請求項１３】
ワイヤレス通信のためのユーザー機器（UE）であって、
マスターシステム情報が要求を介して受信されることを示すダウンリンクチャネルからの情報を復号するための手段と、
前記復号された情報に基づいてマスターシステム情報要求を送信するための手段と、
前記マスターシステム情報を含むシステム情報の第1のセットを受信するための手段であって、前記マスターシステム情報要求に応答して、前記マスターシステム情報が受信され、前記マスターシステム情報が、前記UEがネットワークの初期アクセスを実行することを可能にするシステム情報を含む、手段と、
システム情報の前記第1のセットに少なくとも一部基づいて、追加のシステム情報が利用可能であると決定するための手段と、
前記追加のシステム情報に対する要求を送信するための手段と、
前記追加のシステム情報を受信するための手段と、
を備える、UE。
【請求項１４】
基地局において実行されるワイヤレス通信のための方法であって、
マスターシステム情報が要求を介して送信されることを示す情報を、ダウンリンクチャネルを通じて送信するステップと、
ユーザ機器(UE)からマスターシステム情報要求を受信するステップと、
マスターシステム情報を含むシステム情報の第1のセットを送信するステップであって、前記マスターシステム情報が、前記UEが前記受信されたマスターシステム情報要求に少なくとも一部基づいてネットワークの初期アクセスを実行することを可能にするシステム情報を含む、ステップと、
追加のシステム情報に対する要求を受信するステップと、
前記要求に少なくとも一部基づいて、前記追加のシステム情報を送信するステップと、
を備える、方法。
【請求項１５】
基地局におけるワイヤレス通信のための装置であって、
マスターシステム情報が要求を介して送信されることを示す情報を、ダウンリンクチャネルを通じて送信するための手段と、
ユーザ機器(UE)からマスターシステム情報要求を受信するための手段と、
マスターシステム情報を含むシステム情報の第1のセットを送信するための手段であって、前記マスターシステム情報が、前記UEが前記受信されたマスターシステム情報要求に少なくとも一部基づいてネットワークの初期アクセスを実行することを可能にするシステム情報を含む、手段と、
追加のシステム情報に対する要求を受信するための手段と、
前記要求に少なくとも一部基づいて、前記追加のシステム情報を送信するための手段と、
を備える、装置。
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器(UE)において第1の信号を受信するステップであって、前記UEが第1のシステム情報を使用してネットワークと通信し、前記第1の信号が、システム情報が前記UEによって要求されるべきかどうかの指示と、変化した前記第1のシステム情報の一部分の指示とを含む、ステップと、
前記UEにおいて、前記第1の信号に少なくとも一部基づいて、更新されたシステム情報を要求すると決定するステップと、
前記UEにおいて、前記決定に少なくとも一部基づいて、更新されたシステム情報を要求するステップと、
を備える、方法。
【請求項２】
更新されたシステム情報を要求すると決定するステップが、
前記第1のシステム情報とは異なる第2のシステム情報を使用して、前記UEがあるゾーンに移動したことを特定するステップ、
前記ネットワークが前記第1のシステム情報の少なくとも一部分を変更したことを特定するステップ、
前記UEが前記第1のシステム情報を取得した位置から前記UEが所定の距離を超えて移動したことを特定するステップ、または、
前記UEの現在の位置と、前記UEが前記第1のシステム情報を取得した前記位置との間の距離を特定するステップのうちの1つと、
前記特定された距離が所定の閾値を超えると決定するステップと、
を備える、請求項1に記載の方法。
【請求項３】
前記第1の信号を受信するステップが、
ゾーン識別子を受信するステップをさらに備える、
請求項1に記載の方法。
【請求項４】
前記第1の信号を受信するステップが、
前記ネットワークの識別情報、前記ネットワークの中の基地局の識別情報、セル選択構成およびアクセス制約、またはネットワークアクセス構成情報のうちの1つまたは複数を含む、マスターシステム情報と関連付けられる値タグを受信するステップをさらに備える、
請求項1に記載の方法。
【請求項５】
ワイヤレス通信のための装置であって、
ユーザ機器(UE)において第1の信号を受信するための手段であって、前記UEが第1のシステム情報を使用してネットワークと通信し、前記第1の信号が、システム情報が前記UEによって要求されるべきかどうかの指示と、変化した前記第1のシステム情報の一部分の指示とを含む、手段と、
前記UEにおいて、前記第1の信号に少なくとも一部基づいて、更新されたシステム情報を要求すると決定するための手段と、
前記UEにおいて、前記決定に少なくとも一部基づいて、更新されたシステム情報を要求するための手段と、
を備える、装置。
【請求項６】
更新されたシステム情報を要求すると決定するための前記手段が、
前記第1のシステム情報とは異なる第2のシステム情報を使用して、前記UEがあるゾーンに移動したことを特定するための手段、
前記ネットワークが前記第1のシステム情報の少なくとも一部分を変更したことを特定するための手段、
前記UEが前記第1のシステム情報を取得した位置から前記UEが所定の距離を超えて移動したことを特定するための手段、または、
前記UEの現在の位置と、前記UEが前記第1のシステム情報を取得した前記位置との間の距離を特定するための手段、のうちの1つと、
前記特定された距離が所定の閾値を超えると決定するための手段と、
を備える、請求項5に記載の装置。
【請求項７】
前記第1の信号を受信するための前記手段が、
ゾーン識別子を受信するための手段をさらに備える、
請求項5に記載の装置。
【請求項８】
ワイヤレス通信のための方法であって、
第1の信号を基地局からユーザ機器(UE)に送信するステップであって、前記UEが第1のシステム情報を使用してネットワークと通信し、前記第1の信号が、システム情報が前記UEによって要求されるべきかどうかの指示と、前記UEが更新されたシステム情報を要求すると決定することを可能にするための情報と、変化した前記第1のシステム情報の一部分の指示とを含む、ステップと、
前記基地局において、更新されたシステム情報に対する前記UEからの要求を受信するステップと、
前記基地局から、前記要求に少なくとも一部基づいて、前記更新されたシステム情報を送信するステップと、
を備える、方法。
【請求項９】
前記第1の信号を送信するステップが、
ゾーン識別子を送信するステップ、
前記第1のシステム情報の少なくとも一部分が変化したことの指示を送信するステップ、または、
変化した前記第1のシステム情報の様々な部分に対応する1つまたは複数の値タグを送信するステップ、のうちの1つを備える、
請求項8に記載の方法。
【請求項１０】
前記ゾーン識別子を送信するステップが、
エリアコード、基地局識別情報コード(BSIC)、もしくは他のセル識別子を送信するステップ、または、
前記ゾーン識別子を同期信号の一部として送信するステップ、のうちの1つを備える、
請求項9に記載の方法。
【請求項１１】
前記第1の信号を送信するステップが、
前記ネットワークの識別情報、前記基地局の識別情報、セル選択構成およびアクセス制約、またはネットワークアクセス構成のうちの1つまたは複数を含む、マスターシステム情報と関連付けられる値タグを送信するステップをさらに備える、
請求項8に記載の方法。
【請求項１２】
ワイヤレス通信のための装置であって、
第1の信号を基地局からユーザ機器(UE)に送信するための手段であって、前記UEが第1のシステム情報を使用してネットワークと通信し、前記第1の信号が、システム情報が前記UEによって要求されるべきかどうかの指示と、前記UEが更新されたシステム情報を要求すると決定することを可能にするための情報と、変化した前記第1のシステム情報の一部分の指示とを含む、手段と、
前記基地局において、更新されたシステム情報に対する前記UEからの要求を受信するための手段と、
前記基地局から、前記要求に少なくとも一部基づいて、前記更新されたシステム情報を送信するための手段と、
を備える、装置。
【請求項１３】
前記第1の信号を送信するための前記手段が、
ゾーン識別子を送信するための手段、または、
変化した前記第1のシステム情報の様々な部分に対応する1つまたは複数の値タグを送信するための手段、のうちの1つを備える、
請求項12に記載の装置。
【請求項１４】
前記ネットワークの識別情報、前記基地局の識別情報、セル選択構成およびアクセス制約、またはネットワークアクセス構成のうちの1つまたは複数を含む、マスターシステム情報と関連付けられる値タグを送信するための手段をさらに備える、
請求項13に記載の装置。
【請求項１５】
請求項1から4または8から11のいずれか一項に記載の方法を実行するための命令を備える、
コンピュータプログラム。
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
細胞内シグナル伝達ドメイン、膜貫通ドメイン、および細胞外ドメインを含む、キメラ抗原受容体（CAR）。
【請求項２】
膜貫通ドメインが、細胞外ドメインと膜貫通ドメインの間に位置するストーク領域をさらに含む、請求項1記載のCAR。
【請求項３】
膜貫通ドメインがCD28を含む、請求項1または2記載のCAR。
【請求項４】
膜貫通ドメインと細胞内シグナル伝達ドメインの間に位置する1つまたは複数の追加の共刺激分子をさらに含む、請求項1〜3のいずれか一項記載のCAR。
【請求項５】
共刺激分子が、4-1BB、CD28、ICOS、またはOX40の1つまたは複数である、請求項4記載のCAR。
【請求項６】
細胞内シグナル伝達ドメインがCD3ゼータ鎖を含む、請求項1〜5のいずれか一項記載のCAR。
【請求項７】
細胞外ドメインが抗体である、請求項1〜6のいずれか一項記載のCAR。
【請求項８】
抗体がFabまたはscFVである、請求項7記載のCAR。
【請求項９】
抗体が、CAIX、BCMA、CD138、CCR4、PD-1、PDL-1、PD-L2、CXCR4、GITR、SARSウイルス、フラビウイルス、MERSウイルス、またはインフルエンザウイルスに特異的である、請求項7または8記載のCAR。
【請求項１０】
細胞内シグナル伝達ドメインの後に位置するポリペプチドをコードする核酸をさらに含む、請求項1〜9のいずれか一項記載のCARをコードする核酸。
【請求項１１】
ポリペプチドが抗体である、請求項10記載の核酸。
【請求項１２】
抗体がscFVである、請求項11記載の核酸。
【請求項１３】
抗体が、CAIX、BCMA、CD138、CCR4、PD-1、PDL-1、PD-L2、CXCR4、GITR、SARSウイルス、フラビウイルス、MERSウイルス、またはインフルエンザウイルスに特異的である、請求項12記載の核酸。
【請求項１４】
請求項11〜13のいずれか一項記載の核酸を含む、ベクター。
【請求項１５】
請求項14記載のベクターを含む、細胞。
【請求項１６】
請求項1〜9のいずれか一項記載のキメラ抗原受容体を発現し、それを細胞表面膜上で保持する、遺伝子操作された細胞。
【請求項１７】
T細胞またはNK細胞である、請求項16記載の遺伝子操作された細胞。
【請求項１８】
T細胞がCD4+またはCD8+である、請求項17記載の遺伝子操作された細胞。
【請求項１９】
CD4+細胞およびCD8+細胞の混合集団を含む、請求項18記載の遺伝子操作された細胞。
【請求項２０】
ポリペプチドを発現および分泌するようにさらに操作されている、請求項16〜19のいずれか一項記載の細胞。
【請求項２１】
発現および分泌されるポリペプチドが抗PDL-1である、請求項20記載の細胞。
【手続補正２】
【補正対象書類名】明細書
【補正対象項目名】００１１
【補正方法】変更
【補正の内容】
【００１１】
[本発明1001]
細胞内シグナル伝達ドメイン、膜貫通ドメイン、および細胞外ドメインを含む、キメラ抗原受容体（CAR）。
[本発明1002]
膜貫通ドメインが、細胞外ドメインと膜貫通ドメインの間に位置するストーク領域をさらに含む、本発明1001のCAR。
[本発明1003]
膜貫通ドメインがCD28を含む、本発明1001のCAR。
[本発明1004]
膜貫通ドメインと細胞内シグナル伝達ドメインの間に位置する1つまたは複数の追加の共刺激分子をさらに含む、本発明1001のCAR。
[本発明1005]
共刺激分子が、CD28、4-1BB、ICOS、またはOX40である、本発明1004のCAR。
[本発明1006]
細胞内シグナル伝達ドメインがCD3ゼータ鎖を含む、本発明1001のCAR。
[本発明1007]
細胞外ドメインが抗体である、本発明1001のCAR。
[本発明1008]
抗体がFabまたはscFVである、本発明1007のCAR。
[本発明1009]
抗体が、BCMA、CD138、CCR4、PD-1、PDL-1、PD-L2、CXCR4、GITR、SARSウイルス、フラビウイルス、MERSウイルス、インフルエンザウイルス、またはCAIXに特異的である、本発明1007のCAR。
[本発明1010]
細胞内シグナル伝達ドメインの後に位置するポリペプチドをコードする核酸をさらに含む、前記本発明のいずれかのCARをコードする核酸。
[本発明1011]
ポリペプチドが抗体である、本発明1010の核酸。
[本発明1012]
抗体がscFVである、本発明1011の核酸。
[本発明1013]
抗体が、BCMA、CD138、CCR4、PD-1、PDL-1、PD-L2、CXCR4、GITR、SARSウイルス、フラビウイルス、MERSウイルス、インフルエンザウイルス、またはCAIXに特異的である、本発明1012の核酸。
[本発明1014]
本発明1011〜1013のいずれかの核酸を含む、ベクター。
[本発明1015]
本発明1014のベクターを含む、細胞。
[本発明1016]
本発明1001〜1009のいずれかのキメラ抗原受容体を発現し、それを細胞表面膜上で保持する、遺伝子操作された細胞。
[本発明1017]
T細胞またはNK細胞である、本発明1016の遺伝子操作された細胞。
[本発明1018]
T細胞がCD4+またはCD8+である、本発明1017の遺伝子操作された細胞。
[本発明1019]
CD4+細胞およびCD8細胞+の混合集団を含む、本発明1018の遺伝子操作された細胞。
[本発明1020]
ポリペプチドを発現および分泌するようにさらに操作されている、本発明1016の細胞。
[本発明1021]
発現および分泌されるポリペプチドが抗PDL-1である、本発明1020の細胞。
本発明の他の特徴および利点は、以下の詳細な説明および添付の特許請求の範囲から明らかであり、かつ以下の詳細な説明および添付の特許請求の範囲に包含される。
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
ネットワーク環境においてパケット交換をサポートするための方法であって、
複数の入力ポートおよび複数の出力ポートに関連付けられたネットワーキング装置を準備するステップと、
前記ネットワーキング装置に関連付けられた出力ポートでリンク状態変化を検出するステップと、
前記出力ポートでの前記リンク状態変化を、前記出力ポートを介して、前記入力ポートのうちの１つ以上に通知するステップとを含む、方法。
【請求項２】
前記ネットワーキング装置は、クロスバーファブリックを含むネットワークスイッチである、請求項１に記載の方法。
【請求項３】
前記複数の入力ポートで受信された１つ以上のパケットを格納するために、複数の仮想出力キューを使用するステップをさらに含み、各前記入力ポートは、前記仮想出力キューのうちの１つ以上に関連付けられる、請求項１または２に記載の方法。
【請求項４】
仮想出力キューに格納された１つ以上のパケットを出力ポートに発送するように入力ポートをスケジュールするために、出力スケジューラを使用するステップをさらに含む、請求項３に記載の方法。
【請求項５】
前記仮想出力キューに格納された前記１つ以上のパケットを排出するステップと、
前記入力ポートに関連付けられた１つ以上のソース仮想レーンに１つ以上のクレジットを戻すステップとをさらに含む、請求項４に記載の方法。
【請求項６】
前記出力ポートを介して、状態変化通知を出力スケジューラに送信するステップと、
前記出力スケジューラを介して、前記状態変化通知を複数の入力ポートにブロードキャストするステップとをさらに含む、請求項４または５に記載の方法。
【請求項７】
出力ポートフィルタマスクを構成するために、前記状態変化通知を使用するステップをさらに含む、請求項６に記載の方法。
【請求項８】
１つ以上のパケットを前記仮想出力キューにエンキューする前に前記１つ以上のパケットをチェックするために、入力ポートパケット分類器を介して前記出力ポートフィルタマスクを使用するステップをさらに含む、請求項７に記載の方法。
【請求項９】
前記入力ポートのうちの１つを介して、前記出力ポートをターゲットとする１つ以上のパケットが仮想出力キューにエンキューすることを防止するステップをさらに含む、請求項１〜８のいずれか１項に記載の方法。
【請求項１０】
前記出力ポートをターゲットとする前記１つ以上のパケットをドロップするステップと、
前記入力ポートに関連付けられた１つ以上のソース仮想レーンに１つ以上のクレジットを戻すステップとをさらに含む、請求項９に記載の方法。
【請求項１１】
前記出力ポートを介して、１つ以上のクレジットを出力スケジューラに提供するステップと、
前記１つ以上のクレジットに基づいて、前記出力スケジューラを介して、前記出力ポートをターゲットとする１つ以上のパケットが１つ以上の仮想出力キューからデキューされることを可能にするステップとをさらに含む、請求項１〜１０のいずれか１項に記載の、ネットワーク環境においてパケット交換をサポートするための方法。
【請求項１２】
ネットワーク環境においてパケット交換をサポートするための方法であって、
複数の入力ポートおよび複数の出力ポートを含むネットワーキング装置上の出力ポートでリンク状態変化を検出するステップと、
前記出力ポートを介して、１つ以上のクレジットを出力スケジューラに提供するステップと、
前記１つ以上のクレジットに基づいて、前記出力スケジューラを介して、前記出力ポートをターゲットとする１つ以上のパケットが１つ以上の仮想出力キューからデキューされることを可能にするステップとを含む、方法。
【請求項１３】
前記ネットワーキング装置は、クロスバーファブリックを含むネットワークスイッチである、請求項１２に記載の方法。
【請求項１４】
１つ以上の入力ポートを介して、前記１つ以上のパケットを前記１つ以上の前記仮想出力キューに格納するステップをさらに含む、請求項１１〜１３のいずれか１項に記載の方法。
【請求項１５】
前記出力ポートがアップしている場合、前記１つ以上のクレジットを可能にすることは、リモートトラフィック宛先から受信される１つ以上の初期クレジットを含む、請求項１１〜１４のいずれか１項に記載の方法。
【請求項１６】
前記出力ポートがダウンしている場合、前記１つ以上のクレジットは、前記出力ポートによって構成される１つ以上のリンクダウンクレジットを含む、請求項１１〜１５のいずれか１項に記載の方法。
【請求項１７】
前記出力スケジューラを介して、前記１つ以上のクレジットを、利用可能な最大クレジットとなるように設定するステップをさらに含む、請求項１１〜１６のいずれか１項に記載の方法。
【請求項１８】
前記利用可能な最大クレジットに基づいて、前記出力スケジューラを介して、利用可能なクレジットを導き出すステップをさらに含む、請求項１７に記載の方法。
【請求項１９】
前記出力スケジューラが、利用可能なクレジットに基づいて、宛先仮想レーンを選択するステップをさらに含む、請求項１７または１８に記載の方法。
【請求項２０】
仮想出力キューからの前記１つ以上のパケットを、前記出力ポート上の前記宛先仮想レーンに向けて発送するステップをさらに含む、請求項１９に記載の方法。
【請求項２１】
前記出力ポートで前記１つ以上のパケットを排出するステップと、
入力ポート上の１つ以上のソース仮想レーンに１つ以上のクレジットを戻すステップとをさらに含む、請求項２０に記載の方法。
【請求項２２】
マシン読取可能なフォーマットの命令を含み、前記命令は、実行されると、システムに請求項１〜２１のいずれか１項に記載の方法を行なわせる、コンピュータプログラム。
【請求項２３】
請求項２２に記載のコンピュータプログラムを格納したメモリと、
前記コンピュータプログラムを実行するためのプロセッサとを備える、システム。
【誤訳訂正書】
【提出日】平成31年3月22日(2019.3.22)
【誤訳訂正１】
【訂正対象書類名】特許請求の範囲
【訂正対象項目名】全文
【訂正方法】変更
【訂正の内容】
【特許請求の範囲】
【請求項１】
患者の身体内の構造を特性分析するための装置であって、前記装置は：
遠位部及び近位部を有する可撓性の細長い部材であって、該可撓性の細長い部材は内側管状部材を含み、該内側管状部材は外側管状部材内に共軸となるように配置され、前記内側管状部材は中心管腔を規定し、前記外側管状部材は、環状の管腔を前記内側管状部材と前記外側管状部材との間に規定する、可撓性の細長い部材；
前記可撓性の細長い部材の前記遠位部に位置される撮像装置；
前記可撓性の細長い部材の前記遠位部に位置される複数のＸ線不透過性マーカーであって、前記複数のＸ線不透過性マーカーの各々は他のＸ線不透過性マーカーから第一の距離によって間隔をあけられる、複数のＸ線不透過性マーカー；
前記近位部において前記内側管状部材上に配置される複数のビジブル・マーカー；
前記可撓性の細長い部材の前記近位端に接続されるアダプタ；
前記撮像装置を上に配置する撮像ハウジング； 及び
前記可撓性の細長い部材の前記遠位端の終点となる先端部；
を有し、
前記内側管状部材は前記アダプタ及び前記先端部に固定され、
前記外側管状部材は前記アダプタ及び前記撮像装置ハウジングに固定され、
前記外側管状部材の少なくとも一部は、前記内側管状部材の前記近位部に配置されるいくつかの前記ビジブル・マーカーが前記外側管状部材の光学的に透明な部分を通じて見えるように光学的に透明であり、
前記複数のビジブル・マーカーは、前記複数のＸ線不透過性マーカーの少なくとも一つが前記構造の第一の端部に近位の第一の位置から前記構造の反対側の端部に近位の第二の位置に進められるとき、前記ビジブル・マーカーの数の変化が前記患者の身体の前記構造の長さを示すように、前記Ｘ線不透過性マーカーの間の前記第一の距離に対して比例する第二の距離によって各々間隔をあけられ、
前記装置はＸ線不透過性マーカーを含むＸ線不透過性マーカー・コイルを含み、前記コイルは、交互に連なった密巻セクション及び疎巻セクションを含み、
前記Ｘ線不透過性マーカー・コイルは、前記細長い部材の前記遠位部において、前記内側管状部材と前記外側管状部材との間の前記環状の管腔内で捲回される、
装置。
【請求項２】
請求項１の装置であって、前記複数のビジブル・マーカーはインク状マーカーを含む、該装置。
【請求項３】
請求項１の装置であって、前記複数のビジブル・マーカーは蛍光マーカーを含む、該装置。
【請求項４】
請求項１の装置であって、前記複数のビジブル・マーカー及び前記内側管状部材は、大きいコントラストで着色されている、該装置。
【請求項５】
請求項１の装置であって、前記複数のビジブル・マーカーは均一なサイズを有する、該装置。
【請求項６】
請求項１の装置であって、前記複数のビジブル・マーカーは互いに均一に離れている、該装置。
【請求項７】
請求項１の装置であって、前記密巻セクションは、前記疎巻セクションよりもＸ線不透過性がより大きい領域を含む、該装置。
【請求項８】
請求項１の装置であって、前記密巻セクションは、疎巻セクションによって互いに均一に隔てられている、該装置。
【請求項９】
請求項１の装置であって、前記細長い部材の前記遠位部上に配置された膨張可能な装置を更に含む、該装置。
【誤訳訂正２】
【訂正対象書類名】明細書
【訂正対象項目名】００１８
【訂正方法】変更
【訂正の内容】
【００１８】
本開示が説明する装置、システム、及び方法は、外部の及び／又は内部のイメージングを用いて、正確な解剖学的構造及び／又は損傷の特性分析に関する補助を、ヘルスケア提供者に対して行う。解剖学的な構造及び損傷の正確な測定は、以下のことを行う際にヘルスケア提供者を補助することができる：症状を診断すること、適切な治療コースについての決断を行うこと、症状に対して治療を行うこと、及び治療結果を評価すること。一態様において、本開示が説明する装置、システム、及び方法は、管状の医療装置（例えばカテーテル）に関連する可撓性のＸ線不透過性マーカーを提供するための物である。特に、本開示は、カテーテルを説明し、該カテーテルは、Ｘ線不透過性マーカー・コイルを含み、該コイルは、異なるピッチの交互のコイル状の領域、従って、多少のＸ線不透過性を持つ領域を有する。本明細書に記載のマーカー・コイルは、管状の医療装置に組み込み可能な装置を提供し、並びに対象となる解剖学的な領域を装置の可撓性及び操作性を低下させることなく視覚化及び特性分析を可能にするのに必要となる放射性密度（ｒａｄｉｏｄｅｎｓｉｔｙ）を達成する。マーカー・コイルは、単一の長さの材料を含み、閉じたピッチを持つ密巻セクション及び開いたピッチを持つ疎巻セクションへと捲回される。密巻セクションは、Ｘ線不透過性がより大きい領域を形成し、一方で、疎巻セクションは、Ｘ線不透過性がより小さい領域を形成する。カテーテルが曲がって患者身体内の通路を通る際、マーカー・コイルは、カテーテルの可撓性を制限することなく、カテーテルの湾曲に対応するために曲がることができる。一態様において、マーカー・コイルは、カテーテルの遠位部のカテーテル壁内に位置する。更に、本明細書に記載のマーカー・コイルは、他のＸ線不透過性マーカーよりも、効率的に及び少ないコストで製造することができる。別態様において、カテーテルであって、前記カテーテルの遠位部上にＸ線不透過性マーカー・コイルを含み、更に、それに比例して間隔をあけられるインク状マーカーのバンドを前記カテーテルの近位部上に含む、カテーテルが開示される。Ｘ線不透過性及びインク状マーカーの組合せは、内部の解剖学的な構造及び損傷測定を正確に見積もることをユーザーができるように促す。